(57)【要約】【課題】鍵盤楽器の鍵構造において、簡単な構造で錘を埋設してタッチ感を出す。【解決手段】鍵１を木材等の鍵本体部１１とアクリル等の鍵上面部１２とで構成する。鍵本体部１１に下面から円柱状の埋設孔１３を形成する。埋設孔１３内に円柱状の金属の錘２を挿入し、接着剤Ｓで接着固定する。埋設孔１３の開口部に平板３を金属ネジＮ，Ｎでネジ止めして固定する。平板３により、錘２の脱落を防止する。また、埋設孔を複数設け錘を複数固定する。また、鍵１を保持するヒンジ部を有する鍵下部材により錘の脱落を防止する。また、埋設孔は鍵本体部を非貫通の状態とする。また、鍵ガイド用のガイド孔と共に埋設孔を形成する。【選択図】図１
2009145731.tif 000002
【特許請求の範囲】
【請求項１】
非金属の中実部材を鍵本体部として使用した鍵盤楽器の鍵構造において、
前記鍵本体部の下面に開口部を有した埋設孔が形成され、
前記埋設孔に金属からなる錘が挿入され、
前記埋設孔の開口部に錘抜け防止部材が設置されている
ことを特徴とする鍵盤楽器の鍵構造。
【請求項２】
前記鍵本体部が弾性体で構成され、
前記埋設孔が前記錘より小さな孔として形成され、
前記錘が前記埋設孔内に圧入されていることを特徴とする請求項１に記載の鍵盤楽器の鍵構造。
【請求項３】
前記錘が前記埋設孔内に接着固定されていることを特徴とする請求項１または２に記載の鍵盤楽器の鍵構造。
【発明の詳細な説明】
【技術分野】
【０００１】
本発明は、電子鍵盤楽器等の鍵盤楽器に係わり、詳細には鍵のタッチ感を得るために錘を備えた鍵盤楽器の鍵構造に関する。
【背景技術】
【０００２】
従来、鍵盤楽器の鍵構造として例えば図８に示すものがある。従来は、例えば図８(A) のように、鍵１０にカウンターウエイトを取り付ける場合、鍵１０の木部１０Ａ（鍵本体部）に横方向に孔２０をあけ、その中に鉛等の錘３０を入れ、左右から圧力をかけることで鉛を変形させ、鍵１０の木部１０Ａに固着させていた。しかしながら、環境問題の高まりから鉛の使用が制限されるようになってきたが、いまだに鉛に完全に置き換わる素材は無い。
【０００３】
また、図８(B) のように、電子ピアノでは木製の鍵１０にカウンターウエイトを取り付ける際に木部１０Ａの下面に小さなネジ４０をねじ込んでウエイトにする手法を取るものもあるが、ねじ込むという構造上の制約からネジ４０をあまり大きくすることは出来ず、またネジ部で確実に保持できる錘（ネジ４０自体）の重さも限界があるため、あまり大きな錘を使用することは出来ず、カウンターウエイトとしては中途半端な効果しか得ることが出来なかった。
【０００４】
また、特開平７−２１９５１７号公報（特許文献１）には、木材等の鍵本体にその下面から厚さ方向（上下方向）に埋設孔を形成し、この埋設孔内に鉛により構成された鍵盤錘を埋設するようにしたものが開示されている。
【特許文献１】特開平７−２１９５１７号公報
【発明の開示】
【発明が解決しようとする課題】
【０００５】
前記従来の技術のように、鍵に錘を埋設する構造は、鍵のタッチ感を得るために簡単な構造となりコストダウンにつながる。しかしながら、前記図８(A) の従来技術のように、鍵の横方向に孔２０をあけ、その中に錘３０を埋め込むようにすると、演奏時に押鍵した鍵の隣の鍵の錘が見えてしまうなど、外観品質上問題がある。これに対して、特許文献１のように鍵本体の下から埋設孔を設けるようにすると、上記のような外観品質上の問題は解消する。また、このような錘を用いた場合には、前記図８(B) のようなネジ４０よりもカウンターウエイトとしての効果が得られる。
【０００６】
しかしながら、特許文献１のように鍵本体の下から埋設孔を設けると、下側に開口部が有るので、長年の演奏操作により錘が脱落するような虞があった。すなわち、錘を接着剤などで固定した場合、接着剤の劣化や、鍵中実部材との剥離などで、錘が脱落する虞がある。錘が脱落した場合、キーのタッチ感が大きく変わってしまったり、鍵盤下部に電気部品などがあった場合、ショートする虞もある。
【０００７】
本発明は、上記の問題点に鑑みてなされたものであり、コストダウンを図って鍵のタッチ感を得るとともに、外観品の向上を図り、錘の脱落を防止した鍵盤楽器の鍵構造を提供することを課題とする。
【課題を解決するための手段】
【０００８】
請求項１の鍵盤楽器の鍵構造は、非金属の鍵本体部の下面に開口部を有した埋設孔を形成し、金属からなる錘を埋設孔に挿入するとともに、この埋設孔の開口部に錘抜け防止部材を設置した。
【０００９】
請求項２の鍵盤楽器の鍵構造は、請求項１において、前記記鍵本体部を弾性体で構成するとともに、前記埋設孔を前記錘より小さな孔とし、この埋設孔内に錘を圧入するようにした。鍵本体部が弾性があると、鍵をタッチするときに優しい感触にもなる。
【００１０】
請求項３の鍵盤楽器の鍵構造は、請求項１または２において、前記錘を前記埋設孔内に接着固定するようにした。錘は圧入による圧力だけで固定してもよいが、演奏の振動により錘の位置が動いて押鍵したときの慣性力が変わると、感触が変化してしまうが、錘を接着剤で固定することでその虞を防止することができる。
【００１１】
好適な例Ａとして、請求項１〜３において、前記鍵本体部を木材で形成したことを特徴とする鍵盤楽器の鍵構造でもよい。これによ比較的軽く中身の詰まった鍵が得られる。
【００１２】
好適な例Ｂとして、請求項１〜３において、前記埋設孔及び前記錘が円柱状であることを特徴とする鍵盤楽器の鍵構造でもよい。この場合、円柱状により埋設孔と錘との接触面に均等に力がかかるので、圧入したものであれ、接着したものであれ、部材が理想的な面で接触して固定が確実となる。
【００１３】
好適な例Ｃとして、請求項１〜３において、前記埋設孔が前記鍵本体部を貫通しないで、該鍵本体部に非貫通部を有することを特徴とする鍵盤楽器の鍵構造でもよい。この場合、鍵本体部の上に鍵上面部を設けても凹部が生じずに、外観品質を保つことができる。
【００１４】
好適な例Ｄとして、請求項１〜３において、前記鍵本体部に前記埋設孔が複数形成され、該複数の埋設孔にそれぞれ前記錘を有することを特徴とする鍵盤楽器の鍵構造でもよい。この場合、錘を分けて複数設置することでより重くすることが可能となる。なお、それぞれの孔を設ける位置が近いと、前記錘抜け防止部材を共有化しやすくなり、埋設孔の数分、錘抜け防止部材を設けなくてもよい。
【００１５】
好適な例Ｅとして、請求項１〜３において、前記錘抜け防止部材が、前記鍵本体部を保持するための鍵下部材の一部であることを特徴とする鍵盤楽器の鍵構造でもよい。例えば、鍵下部材はヒンジ部となる構成を有するものでもよい。
【００１６】
好適な例Ｆとして、請求項１〜３において、前記錘抜け防止部材が前記鍵本体部に金属ネジでネジ止めされたことを特徴とする鍵盤楽器の鍵構造でもよい。この場合、金属ネジによりさらに重さを付加することができる。
【００１７】
好適な例Ｇとして、請求項１〜３において、前記鍵本体部が、１つの鍵中実部材板から複数分切り離して形成されたもであることを特徴とする鍵盤楽器の鍵構造でもよい。この場合、１つの鍵中実部材板に対して１つの工程で複数鍵分の錘を取り付けることができるので、作業性が向上する。
【発明の効果】
【００１８】
請求項１の鍵盤楽器の鍵構造によれば、錘によりコストダウンを図ってタッチ感を得ることができるとともに、埋設孔を鍵中実部材の下面から形成してその中に錘を埋設するので外観品質の向上が図れ、かつ、錘抜け防止部材により錘の脱落等を防止することができる。
【００１９】
請求項２の鍵盤楽器の鍵構造によれば、請求項１の効果に加え、鍵本体部の弾性により錘が固定されるので取り付け作業が簡単になる。
【００２０】
請求項３の鍵盤楽器の鍵構造によれば、請求項１または２の効果に加え、接着により錘を確実に固定することができ、演奏時の振動等によっても錘が移動することも防止できる。
【発明を実施するための最良の形態】
【００２１】
以下、図面を参照して本発明の実施の形態について説明する。なお、以下の各実施例において同様な要素には同符号を付記し、重複する説明は適宜省略する。以下の実施例の鍵は電子鍵盤楽器のものであるがアコースティックピアノ等の鍵としても適用できある。また、以下の実施例では白鍵を例に説明するが、黒鍵でも同様な構造を適用することができる。
【００２２】
図１は実施形態の鍵盤楽器の鍵構造の第１実施例を示す図であり、図１(A) は側面図、図１(B) は下面図、図１(C) は他の例を示す一部側面図である。この実施例の鍵１は、「鍵中実部材」としての鍵本体部１１、鍵１の操作面をなす鍵上面部１２を有している。鍵本体部１１は、スプルスやバースウッドなどの木材で構成され、鍵上面部１２はアクリルなどのプラスチックで構成されている。そして、この鍵上面部１２は鍵本体部１１の上面の前部から後方部にかけて接着されている。
【００２３】
鍵本体部１１の所定位置には埋設孔１３が形成されており、この埋設孔１３内に、鍵１の押鍵時に所望の鍵タッチ感を得るための金属等の錘２を備えている。埋設孔１３は円柱形状の孔であり、鍵本体部１１の下面から厚さ方向（上下方向）に貫通して形成されている。また、錘２は円柱形状であり、この錘２は埋設孔１３内に挿入され、接着剤Ｓ（図１(B) ）により鍵本体部１１に対して接着固定されている。
【００２４】
そして、埋設孔１３の開口部には、錘２の脱落を防止する「錘抜け防止部材」としての平板３が金属ネジＮ，Ｎによりネジ止め固定されている。なお、図１(C) に示すように、埋設孔１３の周囲に平板３と同形状の矩形の窪みを形成することにより、平板３の下面と鍵本体部１１の下面とが面一となるようにしてもよい。このことは、以下の実施例でも同様である。
【００２５】
以上のように、錘２を挿入して固着した埋設孔１３の開口部に平板３が取り付けられているので、この鍵１を長年操作しても、錘２が鍵本体部１１から脱落することもない。また、鍵本体部１１の側面には錘２を埋設するための開口等がないので、演奏時の外観品質を損なうこともない。なお、この第１実施例の埋設孔１３は鍵本体部１１を貫通しているのでこの埋設孔１３の形成加工が容易である。
【００２６】
図２は実施形態の鍵盤楽器の鍵構造の第２実施例を示す図であり、図２(A) は側面図、図２(B) は下面図である。この第２実施例の鍵１は、埋設孔１４以外は第１実施例と同一であり、埋設孔１４内に錘２が挿入され接着剤Ｓで接着固定されている。また、埋設孔１４の開口部には「錘抜け防止部材」としての平板３が金属ネジＮによりネジ止め固定されている。そして、この平板３により、鍵１を長年操作しても、錘２が鍵本体部１１から脱落することもない。
【００２７】
ここで、第１実施例の埋設孔１３は鍵本体部１１を下面から上面まで貫通して形成されているが、この第２実施例の埋設孔１４は、円柱形状の孔であるが、鍵本体部１１の下面から厚さ方向（上下方向）に所定深さまで形成されている。すなわち、この埋設孔１４は、鍵上面部１２に届かない位置までしか形成されておらず、鍵本体部１１に対してこの埋設孔１４の部分に「非貫通部」が形成されている。
【００２８】
第１実施例の埋設孔１３のような貫通穴では、鍵上面部１２を貼り付けるために材料を押さえ込んだ際に、この埋設孔１３の縦穴部に鍵上面部１２が入り込んで凹面が出来てしまう可能性がある。しかしながら、この第２実施例の埋設孔１４のように、鍵本体部１１に開ける穴を上面まで貫通させないで途中で止め、非貫通部を設けるることで凹面が生じることを防ぎ、外観の品質を保つことができる。なお、この非貫通部の構成は以下の第３〜第５実施例でも同様である。
【００２９】
図３は実施形態の鍵盤楽器の鍵構造の第３実施例を示す図であり、図３(A) は側面図、図３(B) は下面図である。この実施例の鍵１は、第２実施例の構成に加えて、第２の錘２′を備えている。すなわち、鍵本体部１１には、前記埋設孔１４と同様な第２の埋設孔１４′が形成されており、この第２の埋設孔１４′内に第２の錘２′が挿入され、接着剤Ｓ′により鍵本体部１１に対して接着固定されている。そして、埋設孔１４，１４′の開口部には、錘２，２′の脱落を防止する「錘抜け防止部材」としての平板３′が接着固定されている。なお、材質、形状等のその他の構成は第１実施例及び第２実施例と同様である。
【００３０】
ここで、埋設孔がひとつの場合、丸穴では錘の大きさが最大でも鍵幅弱程度までに限られ、また四角系の孔としても大きく開けてしまうと鍵本体部１１自体の剛性が大きく低下してしまうので、限界がある。しかしながら、この第３実施例のように埋設孔を複数に分け、埋設孔の間に鍵本体部１１を残すことで鍵１の剛性を確保しつつ搭載できる錘の量を増やすことが可能になる。また埋設孔の径を小さくしたり、深さを浅くすることもでき、この埋設孔の部分での鍵１の剛性を確保することができる。
【００３１】
図４は実施形態の鍵盤楽器の鍵構造の第４実施例を示す図であり、図４(A) は側面図、図４(B) は下面図である。この第４実施例の鍵１は、前記実施例と同様な鍵本体部１１、鍵上面部１２を備え、さらに鍵下部材１５を備えている。鍵本体部１１は、スプルスやバースウッドなどの木材、鍵上面部１２はアクリルなどのプラスチックであるが、鍵下部材１５は弾性を有する樹脂等で構成されている。
【００３２】
第２実施例と同様に、鍵本体部１１には、その所定位置に円柱形状の埋設孔１４が鍵本体部１１の下面から厚さ方向に形成されている。そして、金属等からなる円柱形状の錘２が埋設孔１４に挿入され、接着剤Ｓにより鍵本体部１１に対して接着固定されている。なお、この実施例でも「非貫通部」が形成されている。
【００３３】
鍵下部材１５は、鍵本体部１１の下面に位置する平板部１５ａと、鍵本体部１１の後方に位置する結合部１５ｂと、この結合部１５ｂからさらに後方に延設されたヒンジ部１５ｃと、このヒンジ部１５ｃからさらに後方に結合された鍵基端部１５ｄとで構成されている。この鍵下部材１５は、平板部１５ａにおいて鍵本体部１１の下面に接着されている。また、鍵上面部１２は鍵本体部１１の上面の前部から後方にかけて接着され、さらに鍵下部材１５の結合部１５ｂの上面まで接着されている。そして、鍵下部材１５のヒンジ部１５ｃは平板薄肉の形状とされ、鍵基端部１５ｄが図示しない鍵フレームに固定され、ヒンジ部１５ｃの弾性力により鍵１自体が回動自在に保持される。
【００３４】
以上のように、鍵下部材１５の平板部１５ａは、鍵本体部１１の下面に接着されることで、この平板部１５ａは、埋設孔１３の開口部を蓋して錘２の脱落を防止する「錘抜け防止部材」としても機能している。すなわち、この第４実施例のように、元々鍵の下部に構造部品（鍵下部材１５）を有している鍵盤の場合は、わざわざ平板のような部品を追加することなく、錘の脱落防止効果をこの部品に持たせることで、部品点数の削減による軽量化を実現することが可能となる。
【００３５】
図５は実施形態の鍵盤楽器の鍵構造の第５実施例を示す図であり、図５(A) は側面図、図５(B) は下面図である。この第５実施例の鍵１は、「鍵中実部材」としての鍵本体部１１、鍵上面部１２で構成されている。鍵本体部１１と鍵上面部１２の材質は前記各実施例と同様であり、鍵上面部１２は鍵本体部１１の上面の前部から後方部にかけて接着されている。また、鍵本体部１１には前記実施例と同様な錘２が埋設されている。
【００３６】
この実施例の鍵本体部１１には、その所定位置に、多機能孔１６が形成されている。この多機能孔１６は、長方形の埋設孔１６ａと、その前方に形成された薄型長方形のガイド孔１６ｂとで構成されている。そして、錘２が埋設孔１６ａに挿入され、接着剤Ｓにより鍵本体部１１に対して接着固定されている。また、ガイド孔１６ｂには、図示しない鍵フレームに立設されたガイド軸１７が挿入されている。そして、埋設孔１６ａの開口部には、錘２の脱落を防止する「錘抜け防止部材」としての平板３が接着固定されている。
【００３７】
ここで、ガイド孔など、他に穴を開ける必要がある場合、別々に孔を開けると中間に鍵本体部を残す必要が生じるなど挿入孔の大きさが制限される。また、加工機械も別々に孔を開けると加工時間が延びてしまい効率が悪い。しかしながら、この第５実施例のように、錘２を設ける埋設孔１６ａとガイド孔１６ｂとを、多機能孔１６として孔同士を一緒にしてしまうことで、作業効率を向上させることが可能になり、埋設孔１６ａの大きさも大きく取ることが可能になる。
【００３８】
図６及び図７実施形態における鍵１の製造工程の一例を示す図であり、同図では符号を一部省略してある。まず、図６に示すように、白鍵及び黒鍵の１オクターブ分の鍵本体部に相当する１枚の鍵中実部材板１１０を用意する。この鍵中実部材板１１０に埋設孔１４，１４，…を形成し、この埋設孔１４，１４，…に錘２，２，…を埋設して接着固定する。次に、図７に示すよう平板３（錘抜け防止部材）をネジ止めする。そして、太い実線及び二点差線で示した切断線Ｌで鍵中実部材板１１０を切断し、白鍵及び黒鍵の鍵本体部１１，１１，…とする。
【００３９】
すなわち、鍵をバラバラにした後では１鍵ずつ埋設孔１４の孔開けと、と錘２の挿入作業を行う必要があるが、このように鍵中実部材板１１０から鍵本体部１１を切断する工程がある場合、先に錘２を挿入する工程を入れることで、一度に錘２の挿入作業を行えるため作業性が向上する。
【００４０】
また、第４実施例のように、鍵本体部１１を鍵上面部１２と鍵下部材１５とで挟む構造の場合、鍵上面部１２と鍵下部材１５とを貼り付けた後に鍵本体部１１の切断を行うことが一般的であり、先に錘２を挿入しておかないと錘を取り付けることができない。このような場合に、上記の製造方法が適している。
【００４１】
以上の実施形態の鍵盤楽器の鍵構造は電子鍵盤楽器を例に説明したが、本発明は、電子鍵盤楽器の木製キーに使用できるだけでなく、アコースティックピアノの錘の固定にも応用することができる。また、アコースティックピアノにおいては、カウンターウエイトの脱鉛化を推進しているが、その対策の１つの案となりうる。
【００４２】
また、実施形態では鍵本体部１１が木製である場合について説明したが、樹脂等の部材でもよい。
【００４３】
また、実施形態では埋設孔内に錘を接着固定する場合について説明したが、木製の鍵本体部１１や樹脂製の鍵本体部１１に錘よりわずかに小さな埋設孔を形成し、その中に錘を圧入するようにして取り付けてもよい。この場合、接着剤はあっても無くてもよい。
【００４４】
また、第１〜第３実施例では、錘抜け防止部材としての平板３を金属ネジでネジ止めするようにしているので、この金属ネジによりさらに重さを付加することができるが、この錘抜け防止部材の取り付けは、ネジに限らず、接着剤、タッカーなど強度があれば何でもよい。
【図面の簡単な説明】
【００４５】
【図１】本発明の実施形態の鍵盤楽器の鍵構造の第１実施例を示す側面図及び下面図である。
【図２】本発明の実施形態の鍵盤楽器の鍵構造の第２実施例を示す側面図及び下面図である。
【図３】本発明の実施形態の鍵盤楽器の鍵構造の第３実施例を示す側面図及び下面図である。
【図４】本発明の実施形態の鍵盤楽器の鍵構造の第４実施例を示す側面図及び下面図である。
【図５】本発明の実施形態の鍵盤楽器の鍵構造の第５実施例を示す側面図及び下面図である。
【図６】本発明の実施形態の鍵の製造工程の第１段階を示す図である。
【図７】本発明の実施形態の鍵の製造工程の第２段階を示す図である。
【図８】従来の鍵盤楽器の鍵構造の例を示す図である。
【符号の説明】
【００４６】
１…鍵、２，２′…錘、３…平板（錘抜け防止部材）、１１…鍵本体部（鍵中実部材）、１２…鍵上面部、１３，１４，１４′…埋設孔、１５…鍵下部材、１５ａ…平板部（錘抜け防止部材）、１６…多機能孔、１６ａ…埋設孔
【図１】
2009145731.tif 000003
【図２】
2009145731.tif 000004
【図３】
2009145731.tif 000005
【図４】
2009145731.tif 000006
【図５】
2009145731.tif 000007
【図６】
2009145731.tif 000008
【図７】
2009145731.tif 000009
【図８】
2009145731.tif 000010